(57)【特許請求の範囲】
【請求項１】
複数の表示領域のうちの１つである自表示領域に画像を表示する画像表示装置であって、
前記自表示領域に表示すべき画像を表す表示対象画像データを取得する第１取得手段と、
画像処理を実行する際に参照される領域であり、且つ、前記自表示領域の外側の領域である、参照領域に表示すべき画像の特徴を表す第１参照データを画像出力装置に要求する要求手段と、
前記要求手段による要求に応じて前記画像出力装置から出力された第２参照データを取得する第２取得手段と、
前記第２参照データを用いて、前記表示対象画像データに前記画像処理を施す画像処理手段と、
前記第２参照データのデータサイズと、前記第１参照データのデータサイズとして前記画像表示装置で想定しているデータサイズと、を比較する比較手段と、
を有し、
前記要求手段は、前記比較手段による比較の結果、前記第２参照データのデータサイズが前記想定しているデータサイズよりも小さい場合に、前記第１参照データを前記画像出力装置に再要求する
ことを特徴とする画像表示装置。
【請求項２】
前記参照領域は、前記自表示領域に隣接する表示領域の一部の領域であり、且つ、前記自表示領域に隣接する領域である
ことを特徴とする請求項１に記載の画像表示装置。
【請求項３】
前記要求手段は、前記第２参照データのデータサイズが前記想定しているデータサイズと異なる場合に、前記第１参照データを前記画像出力装置に再要求する
ことを特徴とする請求項１または２に記載の画像表示装置。
【請求項４】
前記第２参照データのデータサイズが前記想定しているデータサイズよりも小さい場合に、前記参照領域のサイズを縮小する変更手段をさらに有し、
前記変更手段で前記参照領域のサイズが変更された場合に、前記要求手段は、サイズが変更された後の参照領域に表示すべき画像の特徴を表す第１参照データを前記画像出力装置に再要求する
ことを特徴とする請求項１〜３のいずれか１項に記載の画像表示装置。
【請求項５】
前記変更手段は、前記第２参照データのデータサイズが前記想定しているデータサイズよりも大きい場合に、前記参照領域のサイズを拡大する
ことを特徴とする請求項４に記載の画像表示装置。
【請求項６】
前記画像処理手段は、前記第２参照データを用いて、前記表示対象画像データに複数の画像処理を施し、
前記第１参照データは、前記複数の画像処理のそれぞれについて、その画像処理を実行する際に参照される参照領域に表示すべき画像の特徴を表し、
前記変更手段は、前記第２参照データのデータサイズが前記想定しているデータサイズよりも小さい場合に、前記複数の画像処理にそれぞれ対応する複数の参照領域の少なくともいずれかのサイズを縮小する
ことを特徴とする請求項４または５に記載の画像表示装置。
【請求項７】
前記変更手段は、前記第２参照データのデータサイズが前記想定しているデータサイズよりも大きい場合に、前記複数の画像処理にそれぞれ対応する複数の参照領域の少なくともいずれかのサイズを拡大する
ことを特徴とする請求項６に記載の画像表示装置。
【請求項８】
前記変更手段は、前記第２参照データのデータサイズが前記想定しているデータサイズよりも小さい場合に、前記複数の参照領域の少なくともいずれかのサイズを０に縮小することを特徴とする請求項６または７に記載の画像表示装置。
【請求項９】
前記変更手段は、前記第２参照データのデータサイズが前記想定しているデータサイズよりも大きく、且つ、前記複数の参照領域の少なくともいずれかのサイズが０である場合に、サイズが０である１つ以上の参照領域のサイズを０より大きい値に拡大する
ことを特徴とする請求項６〜８のいずれか１項に記載の画像表示装置。
【請求項１０】
前回と同じ第１参照データを再要求した回数をカウントするカウント手段をさらに有し、
前記変更手段は、前記カウント手段でカウントされた回数が閾値よりも少ない場合に、前記参照領域のサイズの変更を省略する
ことを特徴とする請求項４〜９のいずれか１項に記載の画像表示装置。
【請求項１１】
前記変更手段は、前記参照領域に表示すべき画像の特徴が使用されない処理モードを含む複数の処理モードのいずれかに前記画像処理の処理モードを変更することにより、前記参照領域のサイズを０に変更する
ことを特徴とする請求項４〜１０のいずれか１項に記載の画像表示装置。
【請求項１２】
前記変更手段は、前記参照領域に表示すべき画像の特徴として前記表示対象画像データに基づく特徴が使用される処理モードを含む複数の処理モードのいずれかに前記画像処理の処理モードを変更することにより、前記参照領域のサイズを０に変更する
ことを特徴とする請求項４〜１１のいずれか１項に記載の画像表示装置。
【請求項１３】
前記画像出力装置が出力可能な第２参照データに関する情報を前記画像出力装置から取得する第３取得手段をさらに有し、
前記変更手段は、前記第２参照データのデータサイズが前記想定しているデータサイズよりも小さい場合に、前記第３取得手段で取得された前記情報に基づいて、前記参照領域のサイズを縮小する
ことを特徴とする請求項４〜１２のいずれか１項に記載の画像表示装置。
【請求項１４】
前記変更手段は、前記第２参照データのデータサイズが前記想定しているデータサイズよりも大きい場合に、前記第３取得手段で取得された前記情報に基づいて、前記参照領域のサイズを拡大する
ことを特徴とする請求項１３に記載の画像表示装置。
【請求項１５】
前記第３取得手段は、前記画像出力装置が出力可能な第２参照データのデータサイズの最大値の情報を取得する
ことを特徴とする請求項１３または１４に記載の画像表示装置。
【請求項１６】
前記第１参照データの再要求が行われた場合に、前記第１参照データの再要求が行われたことをユーザに通知する通知手段をさらに有する
ことを特徴とする請求項１〜１５のいずれか１項に記載の画像表示装置。
【請求項１７】
前記画像表示装置の複数の動作モードのうちの１つを選択する選択手段をさらに有し、
前記要求手段は、前記選択手段で選択された動作モードに応じた第１参照データを前記画像出力装置に要求する
をさらに有することを特徴とする請求項１〜１６のいずれか１項に記載の画像表示装置。
【請求項１８】
前記画像処理が施された画像データに基づく画像を前記自表示領域に表示する表示手段をさらに有し、
前記表示手段は、前記第１参照データの再要求が行われている期間に、前記画像処理が施された画像データに基づく画像の代わりに所定の画像を表示する
ことを特徴とする請求項１〜１７のいずれか１項に記載の画像表示装置。
【請求項１９】
前記所定の画像は、黒色の画像である
ことを特徴とする請求項１８に記載の画像表示装置。
【請求項２０】
複数の表示領域のうちの１つである自表示領域に画像を表示する画像表示装置の制御方法であって、
前記自表示領域に表示すべき画像を表す表示対象画像データを取得する第１取得ステップと、
画像処理を実行する際に参照される領域であり、且つ、前記自表示領域の外側の領域である、参照領域に表示すべき画像の特徴を表す第１参照データを画像出力装置に要求する要求ステップと、
前記要求ステップで行われた要求に応じて前記画像出力装置から出力された第２参照データを取得する第２取得ステップと、
前記第２参照データを用いて、前記表示対象画像データに前記画像処理を施す画像処理ステップと、
前記第２参照データのデータサイズと、前記第１参照データのデータサイズとして前記画像表示装置で想定しているデータサイズと、を比較する比較ステップと、
を有し、
前記要求ステップでは、前記比較ステップにおける比較の結果、前記第２参照データのデータサイズが前記想定しているデータサイズよりも小さい場合に、前記第１参照データを前記画像出力装置に再要求する
ことを特徴とする画像表示装置の制御方法。
【請求項２１】
請求項２０に記載の画像表示装置の制御方法の各ステップをコンピュータに実行させるためのプログラム。
【発明の詳細な説明】
【技術分野】
【０００１】
本発明は、画像表示装置、画像表示装置の制御方法、及び、プログラムに関する。
【背景技術】
【０００２】
従来、タイル状に並んだ複数の表示領域を組み合わせた合成表示領域に、１枚の画像を表示する画像表示システムが提案されている（特許文献１）。この画像表示装置では、複数の表示領域にそれぞれ対応する複数の画像表示装置が使用される。画像表示装置には、その画像表示装置に対応する表示領域（自表示領域）に表示すべき画像を表す画像データが、画像出力装置からストリーム伝送される。そして、画像表示装置は、自表示領域に画像を表示する。このような画像表示システムは“マルチディスプレイシステム”とも呼ばれる。
【０００３】
画像表示装置に関する標準化団体ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）では、上述したマルチディスプレイシステムの規格として、Ｔｉｌｅｄ  Ｄｉｓｐｌａｙが提案されている。また、ＶＥＳＡでは、Ｔｉｌｅｄ  Ｄｉｓｐｌａｙの構築を容易にするデータ規格として、Ｄｉｓｐｌａｙ  ＩＤ  ｖ１．３（Ｄｉｓｐｌａｙ  Ｉｄｅｎｔｉｆｉｃａｔｉｏｎ  Ｄａｔａ  Ｓｔａｎｄａｒｄ  Ｖｅｒｔｉｏｎ  １．３）が提案されている。
【０００４】
Ｔｉｌｅｄ  Ｄｉｓｐｌａｙでは、画像出力装置（Ｓｏｕｒｃｅ機器）から画像表示装置（Ｓｉｎｋ機器）へ画像データが出力される。
Ｄｉｓｐｌａｙ  ＩＤ  ｖ１．３は、Ｓｉｎｋ機器からＳｏｕｒｃｅ機器へ出力するデータの規格である。Ｄｉｓｐｌａｙ  ＩＤ  ｖ１．３のデータは、Ｔｉｌｅｄ  Ｄｉｓｐｌａｙ  Ｔｏｐｏｌｏｇｙ  Ｄａｔａ  Ｂｌｏｃｋを有する。Ｔｉｌｅｄ  Ｄｉｓｐｌａｙ  Ｔｏｐｏｌｏｇｙ  Ｄａｔａ  Ｂｌｏｃｋには、Ｓｉｎｋ機器の接続構成、Ｓｉｎｋ機器の画面の位置、等を表すタイル情報を格納することができる。タイル情報を使用することにより、Ｓｏｕｒｃｅ機器は、Ｔｉｌｅｄ  Ｄｉｓｐｌａｙに必要な情報（Ｓｉｎｋ機器の接続構成、Ｓｉｎｋ機器の表示領域の位置、等）を容易に把握することができる。そして、Ｓｏｕｒｃｅ機器は、複数のＳｉｎｋ機器のそれぞれに対して、そのＳｉｎｋ機器の表示領域に表示すべき画像を表す画像データを容易に生成して出力することができる。
また、Ｔｉｌｅｄ  Ｄｉｓｐｌａｙでは、複数の画面がタイル状に並べられ、画面の領域が表示領域として使用されることがある。そして、そのような場合には、Ｓｉｎｋ機器の表示領域（Ｓｉｎｋ機器の画面の領域）を囲む枠部材が存在することがある。そして、タイル情報として、枠部材（ベゼル）のサイズをさらに表す情報を使用することもできる。そのようなタイル情報を用いれば、Ｓｏｕｒｃｅ機器は、枠部材のサイズを容易に把握することができる。そして、Ｓｏｕｒｃｅ機器は、表示領域間で枠部材の分だけ画像が間延びしないように、Ｓｉｎｋ機器に出力する画像データを容易に調整することができる。
【０００５】
Ｔｉｌｅｄ  Ｄｉｓｐｌａｙでは、表示領域に表示すべき画像を表す画像データに対して、他の表示領域に表示すべき画像を考慮せずに、画像処理が施される。そのため、各表示領域に画像処理後の画像データに基づく画像を表示した際に、表示された画像の輝度や色が表示領域間で不連続となる画質劣化が生じてしまう。
このような画質劣化を抑制するための技術は、例えば、特許文献２に開示されている。特許文献２に開示の技術では、元画像を領域分割して得られる分割画像に画像処理を施す際に、糊代画像データが取得され、糊代画像データを用いて画像処理が実行される。糊代画像データは、糊代画像を表す画像データである。糊代画像は、元画像において分割画像
に隣接する領域である糊代領域に表示すべき画像である。糊代画像データは、“参照データ”と呼ぶこともできる。
特許文献２に開示の上記技術は、例えば、画像の境界を正確に表示する必要がある画像表示装置で用いられることが想定されている。具体的には、特許文献２に開示の上記技術は、グラフィック制作、印刷出版物製作、製品試作で用いられることが想定されている。
【０００６】
図２０を用いて、表示対象画像と糊代画像の一例について説明する。表示対象画像は、表示領域に表示すべき画像である。
図２０の例では、元画像１９００を破線で領域分割することにより２つの表示対象画像１９０１，１９０２が得られている。具体的には、元画像１９００を左右に領域分割することにより２つの表示対象画像１９０１，１９０２が得られている。表示対象画像１９０２は、元画像１９００において表示対象画像１９０１の右側に隣接する。
【０００７】
特許文献２に開示の技術を用いた場合、表示対象画像１９０１を表示する画像表示装置Ａには、表示対象画像１９０１と糊代画像１９０３が入力される。具体的には、画像表示装置Ａには、表示対象画像１９０１の右側に糊代画像１９０３が付加された画像が入力される。糊代画像１９０３は、画像表示装置Ａに入力されなかった表示対象画像１９０２の左端から右側に所定画素数分の画像である。そして、画像表示装置Ａでは、表示対象画像１９０１に画像処理を施す際に糊代画像１９０３が使用される。具体的には、表示対象画像１９０１の右端部に画像処理を施す際に、糊代画像１９０３が使用される。
同様に、表示対象画像１９０２を表示する画像表示装置Ｂには、表示対象画像１９０２の左側に糊代画像１９０４が付加された画像が入力される。糊代画像１９０４は、画像表示装置Ｂに入力されなかった表示対象画像１９０１の右端から左側に所定画素数分の画像である。そして、画像表示装置Ｂでは、表示対象画像１９０２の左端部に画像処理を施す際に、糊代画像１９０４が使用される。
【０００８】
その結果、表示対象画像１９０１の右端部の画像処理結果、及び、表示対象画像１９０２の左端部の画像処理結果として、適切な画像処理結果を得ることができ、画像処理によって生じる画質劣化を低減することができる。具体的には、２つの表示対象画像１９０１，１９０２の境界部分における画質劣化を低減することができる。
【０００９】
しかしながら、画像出力装置から参照データ（糊代画像データ）が出力されなかったり、画像表示装置で想定されている参照データとは異なる参照データが画像出力装置から出力されたりしてしまうことがある。このような誤動作は、例えば、画像出力装置の設定、画像出力装置の能力、等に起因して発生する。また、このような誤動作は、画像出力装置が使用する信号にノイズが発生することによっても生じ得る。
そして、参照データが取得されていないにも拘らず参照データを使用する画像処理を実行してしまうと、不適切な画像処理結果が得られてしまう。同様に、想定している参照データと異なる参照データを用いて画像処理を実行してしまうと、不適切な画像処理結果が得られてしまう。その結果、画質劣化を低減できなかったり、画質劣化が増大したりしてしまう。
【先行技術文献】
【特許文献】
【００１０】
【特許文献１】特開２０１２−０５８４７５号公報
【特許文献２】特開２０１３−１３１０４２号公報
【発明の概要】
【発明が解決しようとする課題】
【００１１】
本発明は、マルチディスプレイシステムにおいて、画像表示装置が適切な参照データを
より確実に取得でき、ひいては適切な画像処理結果をより確実に得ることができる技術を提供することを目的とする。
【課題を解決するための手段】
【００１２】
本発明の第１の態様は、
複数の表示領域のうちの１つである自表示領域に画像を表示する画像表示装置であって、
前記自表示領域に表示すべき画像を表す表示対象画像データを取得する第１取得手段と、
画像処理を実行する際に参照される領域であり、且つ、前記自表示領域の外側の領域である、参照領域に表示すべき画像の特徴を表す第１参照データを画像出力装置に要求する要求手段と、
前記要求手段による要求に応じて前記画像出力装置から出力された第２参照データを取得する第２取得手段と、
前記第２参照データを用いて、前記表示対象画像データに前記画像処理を施す画像処理手段と、
前記第２参照データのデータサイズと、前記第１参照データのデータサイズとして前記画像表示装置で想定しているデータサイズと、を比較する比較手段と、
を有し、
前記要求手段は、前記比較手段による比較の結果、前記第２参照データのデータサイズが前記想定しているデータサイズよりも小さい場合に、前記第１参照データを前記画像出力装置に再要求する
ことを特徴とする画像表示装置である。
【００１３】
本発明の第２の態様は、
複数の表示領域のうちの１つである自表示領域に画像を表示する画像表示装置の制御方法であって、
前記自表示領域に表示すべき画像を表す表示対象画像データを取得する第１取得ステップと、
画像処理を実行する際に参照される領域であり、且つ、前記自表示領域の外側の領域である、参照領域に表示すべき画像の特徴を表す第１参照データを画像出力装置に要求する要求ステップと、
前記要求ステップで行われた要求に応じて前記画像出力装置から出力された第２参照データを取得する第２取得ステップと、
前記第２参照データを用いて、前記表示対象画像データに前記画像処理を施す画像処理ステップと、
前記第２参照データのデータサイズと、前記第１参照データのデータサイズとして前記
画像表示装置で想定しているデータサイズと、を比較する比較ステップと、
を有し、
前記要求ステップでは、前記比較ステップにおける比較の結果、前記第２参照データのデータサイズが前記想定しているデータサイズよりも小さい場合に、前記第１参照データを前記画像出力装置に再要求する
ことを特徴とする画像表示装置の制御方法である。
【００１４】
本発明の第３の態様は、上述した画像表示装置の制御方法の各ステップをコンピュータに実行させるためのプログラムである。
【発明の効果】
【００１５】
本発明によれば、マルチディスプレイシステムにおいて、画像表示装置が適切な参照データをより確実に取得でき、ひいては適切な画像処理結果をより確実に得ることができる。
【図面の簡単な説明】
【００１６】
【図１】実施例１に係る画像表示システムの構成の一例を示す図
【図２】実施例１に係る複数の表示領域の一例を示す図
【図３】実施例１に係る画像表示装置の機能構成の一例を示すブロック図
【図４】実施例１に係る画像処理と糊代領域のサイズとの一例を示す図
【図５】実施例１に係る元画像データの一例を示す図
【図６】実施例１に係る入力データの一例を示す図
【図７】実施例１に係るタイル情報と初期糊代情報の一例を示す図
【図８】実施例１に係る画像表示装置の処理の流れの一例を示すフローチャート
【図９】実施例１に係る画像処理設定情報の一例を示す図
【図１０】実施例１に係るエラーリカバリ処理の流れの一例を示すフローチャート
【図１１】実施例１に係る画像処理設定情報の一例を示す図
【図１２】実施例１に係る画像処理設定情報の一例を示す図
【図１３】実施例１に係るエラーリカバリ処理中の表示画像の一例を示す図
【図１４】実施例１に係る画像処理設定情報の一例を示す図
【図１５】実施例１に係るエラーリカバリ処理後の表示画像の一例を示す図
【図１６】実施例２に係る画像表示装置の機能構成の一例を示すブロック図
【図１７】実施例２に係る画像表示装置の処理の流れの一例を示すフローチャート
【図１８】実施例２に係るエラーリカバリ処理の流れの一例を示すフローチャート
【図１９】実施例２に係る動作モードと画像処理設定情報との一例を示す図
【図２０】元画像、表示対象画像、及び、糊代画像の一例を示す図
【発明を実施するための形態】
【００１７】
＜実施例１＞
以下、図面を参照しながら、本発明の実施例１に係る画像表示装置及びその制御方法について説明する。
【００１８】
図１は、本実施例に係る画像表示システム（マルチディスプレイシステム）の構成の一例を示す図である。具体的には、図１は、画像表示装置に関する標準化団体ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）で提案されているＴｉｌｅｄ  Ｄｉｓｐｌａｙの構成を示す図である。
図１に示すように、Ｔｉｌｅｄ  Ｄｉｓｐｌａｙは、Ｓｏｕｒｃｅ機器と、複数のＳｉｎｋ機器と、を有する。Ｓｏｕｒｃｅ機器は、Ｓｉｎｋ機器にデータ（画像データ、画像データに関する付加データ、等）を出力する画像出力装置であり、Ｓｉｎｋ機器は、表示領域（自表示領域）に画像を表示する画像表示装置である。Ｓｏｕｒｃｅ機器としては、例えば、パーソナルコンピュータ（ＰＣ）を使用することができる。Ｓｉｎｋ機器としては、例えば、液晶表示装置、有機ＥＬ表示装置、プラズマ表示装置、等を使用することができる。
Ｔｉｌｅｄ  Ｄｉｓｐｌａｙは、Ｓｏｕｒｃｅ機器とＳｉｎｋ機器がＳｉｎｇｌｅ  Ｓｔｒｅａｍで互いに接続されたｓｔａｒ型構成を有する。
Ｓｏｕｒｃｅ機器とＳｉｎｋ機器との接続には、Ｄｉｓｐｌａｙ  Ｐｏｒｔ規格のケーブルが使用されている。
【００１９】
なお、図１の例では、４台のＳｉｎｋ機器（画像表示装置Ａ〜Ｄ）が使用されているが、Ｓｉｎｋ機器の数は４台より多くても少なくてもよい。
なお、Ｓｏｕｒｃｅ機器とＳｉｎｋ機器との接続に使用するケーブルは、Ｄｉｓｐｌａｙ  Ｐｏｒｔ規格のケーブルに限らない。画像データ、画像データに関する付加データを伝送可能なケーブルであれば、どのような規格のケーブルが使用されてもよい。また、Ｓｏｕｒｃｅ機器が無線でＳｉｎｋ機器に接続されていてもよい。
なお、本実施例に係るマルチディスプレイシステムは、Ｔｉｌｅｄ  Ｄｉｓｐｌａｙに
限らない。
【００２０】
図２は、本実施例に係る複数の表示領域の一例を示す図である。具体的には、図２は、図１の画像表示システムで使用される複数の表示領域の一例を示す図である。
図２に示すように、画像表示システムでは、複数の表示領域がタイル状に並んでいる。図２には、２行２列の４つの表示領域が示されている。具体的には、画像表示システムが２行２列の４つの画面（４つの画像表示装置Ａ〜Ｄの画面）を有しており、画面の領域が表示領域として使用される。また、図２において、表示領域（画面）のサイズは、水平方向１９２０画素×垂直方向１０８０画素であり、４つの画面を組み合わせた合成画面のサイズは、水平方向３８４０画素×垂直方向２１６０画素である。
画像表示装置は、複数の表示領域のうちの１つである自表示領域に画像を表示する。図２の例では、１行１列目の表示領域が画像表示装置Ａの自表示領域であり、１行２列目の表示領域が画像表示装置Ｂの自表示領域であり、２行１列目の表示領域が画像表示装置Ｃの自表示領域であり、２行２列目の表示領域が画像表示装置Ｄの自表示領域である。
【００２１】
なお、表示領域を囲む枠部材（ベゼル）が存在していてもよい。
なお、本実施例では、複数の画面がタイル状に並べられ、画面の領域が表示領域として使用される例を説明するが、これに限らない。例えば、画像表示システムが１つの画面を有しており、複数の表示領域が当該画面の領域を構成していてもよい。
なお、表示領域の数は４つより多くても少なくてもよい。
なお、複数の表示領域の配置は上記配置に限らない。例えば、複数の表示領域が１方向に並べられていてもよい。
【００２２】
以下に、上述した画像表示システムが有する画像表示装置Ａの構成と処理について説明する。画像表示装置Ｂ〜Ｄの構成や処理は、画像表示装置Ａと同様であるため、その説明は省略する。
【００２３】
従来、Ｔｉｌｅｄ  Ｄｉｓｐｌａｙのような画像表示システムでは、自表示領域に表示すべき画像を表す表示対象画像データに画像処理を施す際に、自表示領域以外の領域の画像の特徴は考慮されていなかった。そのため、各表示領域に画像処理後の画像データに基づく画像を表示した際に、表示された画像の輝度や色が表示領域間で不連続となる画質劣化が生じていた。
そこで、本実施例では、画像表示装置Ａは、表示対象画像データだけでなく、第１参照データを画像出力装置に要求する。そして、画像表示装置Ａは、第１参照データを用いた画像処理を、表示対象画像データに施す。第１参照データは、参照領域に表示すべき画像の特徴を表すデータである。参照領域は、画像処理を実行する際に参照される領域であり、且つ、自表示領域の外側の領域である。本実施例では、参照領域が糊代領域である場合の例を説明する。糊代領域は、自表示領域に隣接する表示領域の一部の領域であり、且つ、自表示領域に隣接する領域である
なお、参照領域は糊代領域に限らない。例えば、参照領域は、自表示領域に隣接する表示領域全体であってもよいし、自表示領域から離れた領域であってもよい。
【００２４】
図３は、画像表示装置３０１（画像表示装置Ａ）の機能構成の一例を示すブロック図である。
図３に示すように、画像表示装置３０１は、データ入力部３０２、初期糊代情報記憶部３０３、タイル情報記憶部３０４、フォーマット通知部３０５、糊代比較部３０６、画像処理設定部３０７、エラー処理部３０８、変更糊代情報記憶部３０９、エラー通知部３１０、画像処理部３１１、糊代除去部３１２、表示部３１３、制御部３１４、等を有する。
【００２５】
データ入力部３０２は、画像出力装置から出力されたデータ（入力データ）を取得し、
取得した入力データを糊代比較部３０６に出力する。入力データは、表示対象画像データと、第１参照データの要求に応じて出力された第２参照データと、を含むデータである。第１参照データは、画像表示装置３０１で想定されている糊代領域に表示すべき画像の特徴を表すデータであるため、“想定糊代データ”と言うこともできる。第２参照データは、第１糊代データとして画像出力装置から取得されたデータであるため、“取得糊代データ”と言うこともできる。ここで、“画像の特徴”とは、画像そのもの、画像の輝度、画像の色、等である。画像の輝度は、輝度値の、ヒストグラム、平均値、最大値、最小値、中間値、最頻値、等である。画像の輝度は、各画素の輝度値であってもよい。画像の色は、色度の、ヒストグラム、平均値、最大値、最小値、中間値、最頻値、等である。画像の色は、各画素の色度であってもよい。
なお、表示対象画像データを取得する処理（第１取得処理）と第２参照データを取得する処理（第２取得処理）とは、互いに異なる機能部によって実行されてもよい。
【００２６】
初期糊代情報記憶部３０３は、参照領域（糊代領域）に関する情報である糊代情報の初期情報（初期値）を、初期糊代情報として記憶する。本実施例では、初期糊代情報は、Ｄｉｓｐｌａｙ  ＩＤの要素の１つであるＴｉｌｅｄ  Ｄｉｓｐｌａｙ  Ｔｏｐｏｌｏｇｙ
Ｄａｔａ  Ｂｌｏｃｋに新たに追加された情報“Ｔｉｌｅ  糊代  Ｉｎｆｏｒｍａｔｉｏｎ”である。糊代情報は、例えば、糊代領域の位置の情報、糊代領域のサイズの情報、等を含む。糊代領域の位置は、タイル情報記憶部３０４が記憶するタイル情報に基づいて自動的に決定される。換言すれば、自表示領域のどの辺（上辺／下辺／左辺／右辺）に隣接する糊代領域を設定すべきかは、タイル情報に基づいて自動的に決定される。
なお、糊代領域のサイズの初期値は、メーカー等によって予め定められた固定値であってもよいし、ユーザが変更可能な値であってもよい。
なお、糊代情報は、画像処理で使用する特徴（糊代領域に表示すべき画像の特徴）の種類の情報をさらに含んでいてもよい。特徴の種類は、例えば、輝度値、色度値、画素値、等である。
【００２７】
タイル情報記憶部３０４は、タイル情報を記憶する。タイル情報は、単体情報とシステム情報を含む。単体情報は、画像表示装置３０１（自装置）に関する情報であり、システム情報は、画像表示システム全体に関する情報である。単体情報は、自表示領域のサイズの情報、自表示領域を囲むベゼルのサイズ（幅）の情報、等を含む。システム情報は、複数の表示領域の配置の情報などを含む。本実施例では、タイル情報は、Ｄｉｓｐｌａｙ  ＩＤの要素の１つであるＴｉｌｅｄ  Ｄｉｓｐｌａｙ  Ｔｏｐｏｌｏｇｙ  Ｄａｔａ  Ｂｌｏｃｋに含まれている。
【００２８】
フォーマット通知部３０５は、初期糊代情報とタイル情報を画像出力装置へ通知（出力）する。本実施例では、Ｄｉｓｐｌａｙ  Ｐｏｒｔ規格のケーブルを介して、Ｄｉｓｐｌａｙ  ＩＤが画像出力装置へ通知される。それにより、初期糊代情報とタイル情報が画像出力装置へ通知される。画像出力装置は、初期糊代情報とタイル情報が通知されると、初期糊代情報とタイル情報に基づいて入力データを生成し、入力データを画像表示装置３０１に出力する。そのため、初期糊代情報とタイル情報を画像出力装置に通知する処理は、“表示対象画像データと想定糊代データとを画像出力装置に要求する処理”と言うこともできる。
なお、表示対象画像データを要求する処理と想定糊代データを要求する処理とは、互いに異なる機能部によって実行されてもよい。
【００２９】
糊代比較部３０６は、データ入力部３０２から出力された入力データに含まれている取得糊代データが想定糊代データであるか否かを判断する。具体的には、糊代比較部３０６は、取得糊代データのデータサイズと、想定糊代データのデータサイズと、を比較する。想定糊代データのデータサイズは、例えば、糊代領域のサイズに基づいて自動的に決定さ
れる。そして、取得糊代データのデータサイズが想定糊代データのデータサイズと一致する場合に、糊代比較部３０６は、取得糊代データが想定糊代データであると判断する。また、取得糊代データのデータサイズが想定糊代データのデータサイズと異なる場合に、糊代比較部３０６は、取得糊代データが想定糊代データではないと判断する。その後、糊代比較部３０６は、取得糊代データが想定糊代データであるか否かの判断結果を、画像処理設定部３０７に出力する。また、糊代比較部３０６は、入力データを画像処理部３１１に出力する。
なお、想定糊代データのデータサイズの決定方法は上記方法に限らない。例えば、想定糊代データのデータサイズは、糊代領域のサイズと、糊代領域に表示すべき画像の特徴の種類と、を考慮して決定されてもよい。
【００３０】
本実施例では、取得糊代データが想定糊代データでないと判断された場合に、想定糊代データが画像出力装置に再要求される。また、本実施例では、取得糊代データが想定糊代データでないと判断された場合に、糊代領域のサイズが変更されることがある。
【００３１】
画像処理設定部３０７は、画像処理設定情報を画像処理部３１１に設定する。画像処理設定情報は、例えば、画像処理を実行するか否かの情報、画像処理の動作の情報、等を含む。
また、画像処理設定部３０７は、取得糊代データが想定糊代データでないと判断された場合に、糊代比較部３０６の判断結果に応じて画像処理設定情報を更新（変更）することがある。それにより、詳細は後述するが、画像処理設定情報が変更されることにより、糊代領域のサイズが変更される。
【００３２】
エラー処理部３０８は、取得糊代データが想定糊代データでないと判断された場合に、変更糊代情報を生成する。変更糊代情報は、想定糊代データの再要求時に使用される糊代情報であり、画像処理設定情報に基づいて生成される。そして、エラー処理部３０８は、変更糊代情報を変更糊代情報記憶部３０９とエラー通知部３１０へ出力する。
また、エラー処理部３０８は、前回と同じ想定糊代データを再要求した回数をカウントする。具体的には、エラー処理部３０８は、前回と同じ糊代情報を画像出力装置に再通知した回数をカウントする。
なお、変更糊代情報を生成する処理と、再要求（再通知）の回数をカウントする処理と、は互いに異なる機能部によって実行されてもよい。
【００３３】
変更糊代情報記憶部３０９は、エラー処理部３０８から出力された変更糊代情報を記憶する。
【００３４】
エラー通知部３１０は、エラー処理部３０８から出力された変更糊代情報を、画像出力装置に通知する（糊代情報の再通知）。本実施例では、Ｄｉｓｐｌａｙ  Ｐｏｒｔ規格のケーブルのＡｕｘｉｌｉａｒｙチャンネル（ＡＵＸ）を用いて、変更糊代情報が画像出力装置へ通知される。画像出力装置は、変更糊代情報が通知されると、変更糊代情報とタイル情報に基づいて入力データを生成し、入力データを画像表示装置３０１に出力する。そのため、変更糊代情報を画像出力装置に通知する処理は、“表示対象画像データと想定糊代データとを画像出力装置に要求する処理”と言うこともできる。
なお、Ｄｉｓｐｌａｙ  ＩＤ（初期糊代情報）の通知に応じて画像出力装置から出力された表示対象画像データを画像表示装置３０１が記憶している場合には、画像出力装置は、変更糊代情報の通知に応じて表示対象画像データを出力しなくてもよい。例えば、画像出力装置は、変更糊代情報が通知された場合に、変更糊代情報とタイル情報に基づいて取得糊代データを生成し、取得糊代データを出力してもよい。
なお、初期糊代情報を通知する処理と変更糊代情報を通知する処理とは、同じ機能部によって実行されてもよい。
【００３５】
画像処理部３１１は、糊代比較部３０６から出力された入力データに画像処理を施すことにより、処理データを生成する。具体的には、画像処理部３１１は、入力データに含まれている取得糊代データを用いて、入力データに含まれている表示対象画像データに画像処理を施す。それにより、処理データが生成される。処理データは、画像処理後の表示対象画像データと、取得糊代データと、を含むデータである。
そして、画像処理部３１１は、処理データ（画像処理後の入力データ）を糊代除去部３１２に出力する。
なお、表示対象画像データにのみ画像処理が施されてもよいし、表示対象画像データと取得糊代データの両方に画像処理が施されてもよい。
【００３６】
糊代除去部３１２は、画像処理部３１１から出力された処理データから取得糊代データを除去することにより、画像処理後の表示対象画像データである処理画像データを取得する。そして、糊代除去部３１２は、処理画像データを表示部３１３へ出力する。
なお、表示対象画像データと取得糊代データとが個別に取得される場合には、処理データとして処理画像データが生成されるため、糊代除去部３１２は不要となる。
【００３７】
表示部３１３は、糊代除去部３１２から出力された処理画像データに基づく画像を自表示領域に表示する。表示部３１３としては、例えば、液晶ディスプレイパネル、有機ＥＬディスプレイパネル、プラズマディスプレイパネル、等を使用することができる。
制御部３１４は、画像表示装置３０１の全体的な制御を行う。即ち、制御部３１４は、上述した各機能部を制御する。
バスライン３２０は、上述した機能部間でのデータの送受信に使用されるバスラインである。
【００３８】
図４は、画像処理部３１１が実行する画像処理と、糊代領域のサイズと、の一例を示す図である。
本実施例では、画像処理部３１１では、取得糊代データを用いて、表示対象データに複数の画像処理が施される。
図４の例では、画像処理部３１１は、７つの画像処理Ａ〜Ｇを実行することができる。
画像処理Ａ〜Ｆは、例えば、色変換処理、輝度変換処理、補間画素生成処理、エッジ強調処理、ぼかし処理、等である。
画像処理Ｇは、黒色の画像を表す画像データを補正画像データとして得るための画像処理（ミュート処理）である。
本実施例では、画像処理設定情報の初期情報として、画像処理Ａ〜Ｆの実行フラグが“有効”であり、且つ、画像処理Ｇの実行フラグが“無効”である情報が用意されている。実行フラグは、画像処理を実行するか否かの情報である。“有効”は、画像処理を実行することを表し、“無効”は、画像処理を実行しないことを表す。
【００３９】
画像処理Ａでは、隣接方向におけるサイズが４画素分の糊代領域に表示すべき画像の特徴を使用することが想定されている。隣接方向は、表示対象画像データが表す画像の領域に対して糊代領域が隣接する方向である。
画像処理Ｂでは、隣接方向におけるサイズが４画素分の糊代領域に表示すべき画像の特徴を使用することが想定されている。
画像処理Ｃでは、隣接方向におけるサイズが３画素分の糊代領域に表示すべき画像の特徴を使用することが想定されている。
画像処理Ｄでは、隣接方向におけるサイズが９５画素分の糊代領域に表示すべき画像の特徴を使用することが想定されている。
画像処理Ｅでは、隣接方向におけるサイズが５画素分の糊代領域に表示すべき画像の特徴を使用することが想定されている。
画像処理Ｆでは、隣接方向におけるサイズが４画素分の糊代領域に表示すべき画像の特徴を使用することが想定されている。
画像処理Ｇでは、糊代領域に表示すべき画像の特徴は使用されない。
【００４０】
また、本実施例では、画像処理部３１１は、種々の画像データを生成する画像生成処理、種々の画像データと表示対象画像データ（または処理画像データ）を合成する合成処理、等を実行することもできる。例えば、画像処理部３１１は、情報画像を表す情報画像データを生成することができる。そして、画像処理部３１１は、情報画像データと表示対象画像データを合成することにより、表示対象画像データが表す画像に情報画像が重畳された合成画像を表す合成画像データを生成することができる。情報画像は、例えば、画像表示装置３０１の動作状態（表示状態）の情報を表す画像である。
【００４１】
なお、画像処理Ａ〜Ｆでは、同じ種類の特徴が使用されてもよいし、異なる種類の特徴が使用されてもよい。
なお、画像処理部３１１が実行可能な画像処理の数は７つより多くても少なくてもよい。画像処理部３１１が実行可能な画像処理は、１つの画像処理（例えば、画像処理Ａ〜Ｆのいずれか）であってもよい。
なお、画像処理設定情報の初期情報は上記情報に限らない。例えば、画像処理設定情報の初期情報は、全ての画像処理の実行フラグが“無効”である情報であってもよい。
【００４２】
図５は、元画像を表す元画像データの一例を示す図である。
図５の例では、元画像のサイズは、水平方向３８４０画素×垂直方向２１６０画素であり、図２に示す画像表示システムの合成画面のサイズと等しい。
画像出力装置は、タイル情報に基づいて元画像データから表示対象画像データを生成する。本実施例では、図２に示すように、画像表示システムは、２行２列の４つの表示領域を有する。そのため、画像出力装置は、元画像の領域が２行２列の４つの画像領域に分割されるように、元画像データを４つの画像データに分割する。４つの画像データのそれぞれのサイズは、水平方向１９２０画素×垂直方向１０８０画素である。そして、画像表示装置３０１（画像表示装置Ａ）の表示領域は１行１列目の表示領域である。そのため、画像出力装置は、上記４つの画像データのうち、１行１列目の画像領域に対応する画像データを、画像表示装置３０１の表示対象画像データとして選択する。
【００４３】
そして、画像表示装置３０１の期待どおりに画像出力装置が動作する場合には、画像出力装置は、初期糊代情報とタイル情報に基づいて、画像処理Ａ〜Ｆのそれぞれについて糊代領域に表示すべき画像の特徴を表す取得糊代データを生成する。本実施例では、画素単位の特徴値を有する取得糊代データが生成され、画素単位の特徴値を用いて画像処理が実行される。特徴値は、輝度値、色度値、画素値、等である。
【００４４】
そのため、画像処理Ａ〜Ｆの実行フラグが“有効”であり、且つ、画像処理Ａ〜Ｆの糊代領域のサイズが図４に示す値である場合には、隣接方向のサイズが１１５画素分のサイズであるデータが、画像表示装置３０１の取得糊代データとして生成される。
具体的には、図６に示すように、第１データ、第２データ、及び、ダミーデータ、を含むデータが、画像表示装置３０１の取得糊代データとして生成される。
第１データは、水平方向１９２０画素×垂直方向１０８０画素の表示対象画像データの下側に隣接する糊代領域に表示すべき画像の特徴を表すデータであり、水平方向１９２０画素×垂直方向１１５画素分のデータである。
第２データは、表示対象画像データの右側に隣接する糊代領域に表示すべき画像の特徴を表すデータであり、水平方向１１５画素×垂直方向１０８０画素分のデータである。
ダミーデータは、入力データの全画素からなる領域が矩形領域となるように用意されたデータであり、水平方向１１５画素×垂直方向１１５画素分のデータである。
【００４５】
その後、画像出力装置は、表示対象画像データに取得糊代データを付加することにより、入力データを生成する。画像表示装置３０１の期待どおりに画像出力装置が動作する場合には、図６に示すように、水平方向２０３５画素×垂直方向１１９５画素分の入力データが生成される。
【００４６】
画像表示装置Ｂ〜Ｄについても、画像表示装置Ａと同様に入力データが生成される。
【００４７】
なお、表示対象画像データに対して斜め方向に隣接する糊代領域が設定されてもよい。その場合、ダミーデータの一部は、表示対象画像データに対して斜め方向（図６の例では右下方向）に隣接する糊代領域に表示すべき画像の特徴を表す。
なお、本実施例では、元画像のサイズが画像表示システムの合成画面のサイズと等しい場合の例を説明するが、元画像のサイズが画像表示システムの合成画面のサイズと異なっていてもよい。その場合には、画像のサイズを変更するスケーリング処理が適宜実行されればよい。
なお、本実施例では、取得糊代データが画素単位の特徴値を有し、画像処理で画素単位の特徴値が使用される例を説明したが、これに限らない。例えば、画像処理では、複数の画素を含む画素群単位の特徴値（複数の画素の特徴値の平均値、最頻値、最大値、最小値、中間値、等）が使用されてもよい。そして、取得糊代データは、画素群単位の特徴値を有していてもよい。取得画像データは、画素単位の特徴値を使用する画像処理の特徴値として画素単位の特徴値を有し、画素群単位の特徴値を使用する画像処理の特徴値として画素群単位の特徴値を有していてもよい。
なお、本実施例では、取得糊代データが、複数の画像処理で使用される特徴を個別に表すデータである例を説明したが、これに限らない。例えば、複数の画像処理で同じ種類の特徴が使用される場合には、糊代領域のサイズが最も大きい画像処理で使用される特徴を表す取得糊代データが生成されればよい。糊代領域のサイズが最も大きい画像処理以外の画像処理で使用される特徴は、糊代領域のサイズが最も大きい画像処理で使用される特徴から取得することができる。
【００４８】
図７は、画像表示装置３０１のＴｉｌｅｄ  Ｄｉｓｐｌａｙ  Ｔｏｐｏｌｏｇｙ  Ｄａｔａ  Ｂｌｏｃｋの一例を示す図である。
図７に示すように、Ｔｉｌｅｄ  Ｄｉｓｐｌａｙ  Ｔｏｐｏｌｏｇｙ  Ｄａｔａ  Ｂｌｏｃｋ７０１は、タイル情報７０２と初期糊代情報７０３を含む。
【００４９】
タイル情報７０２は、Ｔｉｌｅｄ  Ｄｉｓｐｌａｙ  Ｃａｐａｂｉｌｉｔｙ、Ｔｉｌｅ
Ｔｏｐｏｌｏｇｙ、Ｔｉｌｅ  Ｌｏｃａｔｉｏｎ、及び、Ｔｉｌｅ  Ｓｉｚｅ、Ｔｉｌｅ  Ｂｅｚｅｌ  Ｉｎｆｏｍａｔｏｎを含む。
【００５０】
Ｔｉｌｅｄ  Ｄｉｓｐｌａｙ  Ｃａｐａｂｉｌｉｔｙは、Ｔｉｌｅｄ  Ｄｉｓｐｌａｙの接続型情報とベゼル有無情報を含む。
接続型情報は、Ｔｉｌｅｄ  Ｄｉｓｐｌａｙの接続型が「非独立型」であるか「独立型」であるかを表す情報である。「非独立型」のＴｉｌｅｄ  Ｄｉｓｐｌａｙは、１つの画面を有し、且つ、複数の表示領域がタイル状に並べられた画像表示システムである。「独立型」のＴｉｌｅｄ  Ｄｉｓｐｌａｙは、複数の画面がタイル状に並べられた画像表示システムである。本実施例では、図１に示すように、複数の画像表示装置が互いに物理的に分離された「独立型」のＴｉｌｅｄ  Ｄｉｓｐｌａｙが使用される。そのため、図７では、接続型情報として「独立型」が設定されている。
ベゼル有無情報は、表示領域を囲むベゼルが存在するか否かを表す情報である。本実施例では、図２に示すように、ベゼルは存在しない。そのため、図７では、ベゼル有無情報として「ベゼル無し」が設定されている。
【００５１】
Ｔｉｌｅ  Ｔｏｐｏｌｏｇｙは、Ｔｉｌｅｄ  Ｄｉｓｐｌａｙが有する複数の表示領域の配列を表す情報である。本実施例では、図２に示すように、Ｔｉｌｅｄ  Ｄｉｓｐｌａｙは、２行２列の４つの表示領域を有する。そのため、図７では、Ｔｉｌｅ  Ｔｏｐｏｌｏｇｙとして、（水平方向の表示領域の数，垂直方向の表示領域の数）＝（２，２）が設定されている。
【００５２】
Ｔｉｌｅ  Ｌｏｃａｔｉｏｎは、画像表示装置３０１の表示領域の相対位置を表す情報である。画像表示装置３０１は画像表示装置Ａであり、画像表示装置３０１の表示領域は１行１列目の表示領域である。そのため、図７では、Ｔｉｌｅ  Ｌｏｃａｔｉｏｎとして、（水平方向の相対位置，垂直方向の相対位置）＝（０，０）が設定されている。左端の表示領域に対しては、水平方向の相対位置の値として０が設定される。そして、表示領域の相対位置が右に進むにつれて、水平方向の相対位置の値は１ずつ増加する。上端の表示領域に対しては、垂直方向の相対位置の値として０が設定される。そして、表示領域の相対位置が下に進むにつれて、垂直方向の相対位置の値は１ずつ増加する。
【００５３】
Ｔｉｌｅ  Ｓｉｚｅは、自表示領域のサイズを表す情報である。本実施例では、図２に示すように、自表示領域のサイズは、水平方向１９２０画素×垂直方向１０８０画素である。そのため、図７では、Ｔｉｌｅ  Ｓｉｚｅとして、水平方向１９２０画素×垂直方向１０８０画素が設定されている。
【００５４】
Ｔｉｌｅ  Ｂｅｚｅｌ  Ｉｎｆｏｍａｔｏｎは、画像表示装置３０１のベゼルの幅を表す情報である。本実施例では、図２に示すように、ベゼルは存在しない。そのため、図７では、Ｔｉｌｅ  Ｂｅｚｅｌ  Ｉｎｆｏｍａｔｏｎとして、（水平方向のベゼルの幅，垂直方向のベゼルの幅）＝（０，０）が設定されている。
【００５５】
初期糊代情報７０３は、Ｔｏｐ  糊代  Ｓｉｚｅ、Ｂｏｔｔｏｍ  糊代  Ｓｉｚｅ、Ｒｉｇｈｔ  糊代  Ｓｉｚｅ、及び、Ｌｅｆｔ  糊代  Ｓｉｚｅを含む。
Ｔｏｐ  糊代  Ｓｉｚｅは、自表示領域の上側に隣接する糊代領域に表示すべき画像の特徴データのサイズ（垂直方向の画素数）を表す情報である。本実施例では、図２に示すように、自表示領域の上側に隣接する表示領域は存在しない。そのため、図７の例では、Ｔｏｐ  糊代  Ｓｉｚｅとして０が設定されている。
Ｂｏｔｔｏｍ  糊代  Ｓｉｚｅは、自表示領域の下側に隣接する糊代領域に表示すべき画像の特徴データのサイズ（垂直方向の画素数）を表す情報である。本実施例では、図２に示すように、自表示領域の下側に隣接する表示領域が存在する。そして、画像処理設定情報の初期情報では、画像処理Ａ〜Ｆの実行フラグは“有効”である。そのため、図７の例では、Ｂｏｔｔｏｍ  糊代  Ｓｉｚｅとして１１５が設定されている。
Ｒｉｇｈｔ  糊代  Ｓｉｚｅは、自表示領域の右側に隣接する糊代領域に表示すべき画像の特徴データのサイズ（水平方向の画素数）を表す情報である。本実施例では、図２に示すように、自表示領域の右側に隣接する表示領域が存在する。そして、画像処理設定情報の初期情報では、画像処理Ａ〜Ｆの実行フラグは“有効”である。そのため、図７の例では、Ｒｉｇｈｔ  糊代  Ｓｉｚｅとして１１５が設定されている。
Ｌｅｆｔ  糊代  Ｓｉｚｅは、自表示領域の左側に隣接する糊代領域に表示すべき画像の特徴データのサイズ（水平方向の画素数）を表す情報である。本実施例では、図２に示すように、自表示領域の左側に隣接する表示領域は存在しない。そのため、図７の例では、Ｌｅｆｔ  糊代  Ｓｉｚｅとして０が設定されている。
【００５６】
図８は、画像表示装置３０１の処理の流れの一例を示すフローチャートである。
図８を用いて、想定糊代データと同じ取得糊代データが取得された場合の例を説明する。
【００５７】
まず、Ｄｉｓｐｌａｙ  Ｐｏｒｔ規格のケーブルを用いて画像表示装置３０１が画像出力装置に接続されると、フォーマット通知部３０５が、画像出力装置にＤｉｓｐｌａｙ  ＩＤを通知する（Ｓ８０１）。本処理により、タイル情報と初期糊代情報を含むＴｉｌｅｄ  Ｄｉｓｐｌａｙ  Ｔｏｐｏｌｏｇｙ  Ｄａｔａ  Ｂｌｏｃｋが画像出力装置に通知される。
【００５８】
次に、データ入力部３０２が、画像出力装置から出力された入力データが画像表示装置３０１（データ入力部３０２）に入力されたか否かを判断する（Ｓ８０２）。入力データがデータ入力部３０２に入力された場合（Ｓ８０２：Ｙｅｓ）、Ｓ８０３に処理が進められる。入力データがデータ入力部３０２に入力されていない場合（Ｓ８０２：Ｎｏ）、Ｓ８０２に処理が戻される。そして、データ入力部３０２は、入力データがデータ入力部３０２に入力されるまで、Ｓ８０２の処理を繰り返し実行する。
【００５９】
Ｓ８０３では、制御部３１４が糊代比較部３０６を制御し、糊代比較部３０６が、Ｓ８０２で取得された入力データに含まれている取得糊代データが想定糊代データであるか否かを判断する。具体的には、糊代比較部３０６は、入力データの全画素からなる矩形領域（取得領域）のサイズが、自表示領域に全ての画像処理の糊代領域を付加した矩形領域（想定領域）のサイズと一致するか否かを判断する。取得領域のサイズは、入力データのＤａｔａ  Ｅｎａｂｌｅ信号（ＤＥ信号）が表す画素の総数である。想定領域のサイズは、Ｔｉｌｅ  Ｓｉｚｅが表す自表示領域を糊代情報が表す特徴データのサイズだけ拡大した矩形領域の総画素数である。Ｔｉｌｅ  Ｓｉｚｅと糊代情報が図７に示す情報である場合、水平方向１９２０画素×垂直方向１０８０画素の自表示領域を右側及び下側に１１５画素分だけ拡大した領域が、想定領域として使用される。
【００６０】
取得領域のサイズが想定領域のサイズと一致する場合に、糊代比較部３０６は、取得糊代データが想定糊代データであると判断する（Ｓ８０３：Ｙｅｓ）。そして、Ｓ８０４に処理が進められる。
また、取得領域のサイズが想定領域のサイズと異なる場合に、糊代比較部３０６は、取得糊代データが想定糊代データではないと判断する（Ｓ８０３：Ｎｏ）。そして、Ｓ８０５に処理が進められる。
ここでは、想定糊代データと同じ取得糊代データが取得されたため、Ｓ８０４に処理が進められる。
【００６１】
なお、後述するエラーリカバリ処理（想定糊代データを再要求する処理）が行われる前のＳ８０３の処理では、初期糊代情報が表す糊代領域が使用される。エラーリカバリ処理が行われた後のＳ８０３の処理では、変更糊代情報が表す糊代領域が使用される。
なお、本実施例では、取得糊代データのデータサイズと想定糊代データのデータサイズとが間接的に比較される例を説明したが、これに限らない。例えば、表示対象画像データと取得糊代データが個別に取得される場合には、取得糊代データのデータサイズと想定糊代データのデータサイズとが直接比較されてもよい。
【００６２】
Ｓ８０４では、制御部３１４が画像処理設定部３０７を制御し、画像処理設定部３０７が、画像処理部３１１に対して画像処理設定情報を設定する。ここでは、画像処理設定情報の初期情報が設定される。
図９は、画像処理設定情報の初期情報の一例を示す図である。
図９の例では、画像処理設定情報は、実行フラグと処理モードを含む。実行フラグは、画像処理を実行するか否かの情報である。処理モードは、画像処理の動作の情報である。
図９に示すように、画像処理設定情報の初期情報では、画像処理Ａ〜Ｆの実行フラグが“有効”であり、且つ、画像処理Ｇの実行フラグが“無効”である。
そして、画像処理設定情報の初期情報では、画像処理Ａ〜Ｆの処理モードは、“糊代使用モード”である。“糊代使用モード”は、取得糊代データが使用される処理モードである。
そのため、画像処理設定情報の初期情報が設定されている場合には、取得糊代データを用いて画像処理Ａ〜Ｆが実行される。
【００６３】
次に、制御部３１４が画像処理部３１１を制御し、画像処理部３１１が、Ｓ８０２で取得された入力データに対して、Ｓ８０４で設定された画像処理設定情報に応じた画像処理を施す（Ｓ８０６）。それにより、処理データが生成される。
【００６４】
そして、制御部３１４が糊代除去部３１２を制御し、糊代除去部３１２が、Ｓ８０６で生成された処理データから取得糊代データを除去する（Ｓ８０７）。それにより、水平方向１９２０画素×垂直方向１０８０画素のサイズを有する処理画像データが生成される。
【００６５】
次に、制御部３１４が表示部３１３を制御し、表示部３１３が、Ｓ８０７で生成された処理画像データを自表示領域に表示する（Ｓ８０８）。そして、Ｓ８０２に処理が戻される。
【００６６】
以上の処理が実行されることにより、想定糊代データと同じ取得糊代データを用いた画像処理が実行され、当該画像処理後の表示対象画像データに基づく画像を画面に表示することができる。取得糊代データ（糊代領域に表示すべき画像の特徴）は、例えば、自表示領域の端部（他の表示領域が隣接する側の端部）に表示すべき画像データに画像処理を施す際に使用される。
【００６７】
次に、図８，１０を用いて、想定糊代データと異なる取得糊代データが取得された場合の例を説明する。
図１０は、図８のＳ８０５のエラーリカバリ処理の流れの一例を示すフローチャートである。
以下では、初期糊代情報が表すＴｏｐ  糊代  Ｓｉｚｅが０、Ｂｏｔｔｏｍ  糊代Ｓｉｚｅが１１５、Ｒｉｇｈｔ  糊代  Ｓｉｚｅが１１５、Ｌｅｆｔ  糊代  Ｓｉｚｅが０である場合の例を説明する。即ち、画像表示装置３０１が最初に期待する入力データの全画素からなる領域が、水平方向１９２０画素×垂直方向１０８０画素の領域を右側及び下側に１１５画素分だけ拡大した、２０３５画素×１１９５画素のサイズを有する領域である場合の例を説明する。また、以下では、最初に取得された入力データの全画素からなる領域のサイズが２０３１画素×１１９１画素（＜２０３５画素×１１９５画素）である場合の例を説明する。
このような状況は、例えば、画像出力装置が有する画像出力用グラフィックカードの最大画像出力サイズ（出力可能なデータの最大画素数）が想定領域のサイズよりも小さい場合に生じる。
【００６８】
まず、Ｓ８０１〜Ｓ８０３の処理が行われる。
Ｓ８０１〜Ｓ８０３の処理は、上述したとおりである。
但し、ここでは、取得領域のサイズが想定領域のサイズよりも小さい。即ち、取得糊代データのデータサイズが想定糊代データのデータサイズよりも小さい。そのため、糊代比較部３０６は、取得糊代データが想定糊代データではないと判断する（Ｓ８０３：Ｎｏ）。そして、Ｓ８０５に処理が進められる。
【００６９】
Ｓ８０５では、制御部３１４がエラー処理部３０８と画像処理設定部３０７を制御することにより、エラーリカバリ処理が行われる。
図１０を用いて、Ｓ８０５のエラーリカバリ処理について詳しく説明する。
【００７０】
まず、制御部３１４が画像処理設定部３０７を制御し、画像処理設定部３０７が、画像処理部３１１に対して、画像処理Ｇの動作フラグを“有効”に書き替えた画像処理設定情報を設定する（Ｓ１００１）。
図１１に、Ｓ１００１で設定される画像処理設定情報の一例を示す。
取得糊代データが想定糊代データと異なるにも拘らず、取得糊代データを用いた画像処理を実行してしまうと、想定糊代データを用いた画像処理を行うことができず、不適切な画像処理結果が得られてしまう。その結果、画質が劣化した画像が自表示領域に表示されてしまう。
そこで、Ｓ１００１では、図１１に示すように、画像処理Ｇの動作フラグを“有効”に書き替えた画像処理設定情報を設定する。それにより、想定糊代データの再要求が行われている期間に黒色の画像を表示することができ、画質が劣化した画像の表示を抑制することができる。
【００７１】
なお、エラーリカバリ処理（想定糊代データを再要求する処理）が行われている期間には、取得糊代データを用いた画像処理後の画像データに基づく画像の代わりに、黒色の画像とは異なる所定の画像が表示されてもよい。例えば、所定のイラストやロゴの画像が表示されてもよい。エラーリカバリ処理中の画質劣化は一時的なものであるため、所定の画像の表示は行われなくてもよい。
【００７２】
また、図１２に示すように、画像処理Ｇの動作フラグを“有効”に書き替えずに、画像処理Ａ〜Ｆの処理モードを“代替糊代使用モード”に書き替えた画像処理設定情報が設定されてもよい。“代替糊代使用モード”は、糊代領域に表示すべき画像の特徴として表示対象画像データに基づく特徴（代替特徴）が使用される処理モードである。例えば、“代替糊代使用モード”では、表示対象画像データが表す画像の端部（糊代領域側の端部）を糊代領域側に反転させたミラー画像の特徴が、糊代領域に表示すべき画像の特徴として使用される。画像処理Ａ〜Ｆの処理モードを“代替糊代使用モード”に書き替えた画像処理設定情報が設定された場合には、取得糊代データの代わりに代替特徴を用いた画像処理Ａ〜Ｆが実行される。それにより、取得糊代データが想定糊代データと異なることによる画質の劣化が低減された画像を表示することができる。
【００７３】
また、画像処理Ｇの動作フラグを“有効”に書き替えずに、画像処理Ａ〜Ｆの処理モードを“糊代不使用モード”に書き替えた画像処理設定情報が設定されてもよい。“糊代不使用モード”は、糊代領域に表示すべき画像の特徴が使用されない処理モードである。画像処理Ａ〜Ｆの処理モードを“糊代不使用モード”に書き替えた画像処理設定情報が設定された場合には、取得糊代データを用いずに画像処理Ａ〜Ｆが実行される。それにより、取得糊代データが想定糊代データと異なることによる画質の劣化が低減された画像を表示することができる。
【００７４】
次に、制御部３１４がエラー処理部３０８を制御し、エラー処理部３０８が、カウント値Ｃｎｔが閾値以上か否かを判断する（Ｓ１００２）。カウント値Ｃｎｔは、前回と同じ想定糊代データを再要求した回数である。本実施例では、カウント値Ｃｎｔと比較する閾値が１である場合の例を説明する。カウント値Ｃｎｔが閾値以上である場合には（Ｓ１００２：Ｙｅｓ）、Ｓ１００５に処理が進められる。カウント値Ｃｎｔが閾値未満である場合には（Ｓ１００２：Ｎｏ）、Ｓ１００３に処理が進められる。
ここでは、カウント値Ｃｎｔが初期値０であるため、Ｓ１００３に処理が進められる。
【００７５】
なお、カウント値Ｃｎｔと比較する閾値は、１より大きくてもよい。閾値は、メーカー等によって予め定められた固定値であってもよいし、ユーザが変更可能な値であってもよい。
また、カウント値Ｃｎｔと比較する閾値は、０であってもよい。即ち、エラーリカバリ処理では、Ｓ１００１の次に常にＳ１００５に処理が進められてもよい。Ｓ１００１の次に常にＳ１００３に処理が進められてもよい。
【００７６】
Ｓ１００３では、制御部３１４がエラー処理部３０８を制御し、エラー処理部３０８が、現在設定されている画像処理設定情報に基づいて変更糊代情報を生成する。そして、制御部３１４がエラー通知部３１０を制御し、エラー通知部３１０が、変更糊代情報を画像出力装置に通知する。
ここでは、図１１に示すように、画像処理Ａ〜Ｆの実行フラグが“有効”であり、且つ、画像処理Ａ〜Ｆの処理モードが“糊代使用モード”である。そのため、変更糊代情報として、初期糊代情報と同じ情報が生成される。
【００７７】
本実施例では、何らかの理由により、想定糊代データと異なる取得糊代データが取得されたり、取得糊代データが取得されなかったりすることがある。例えば、画像出力装置で使用される信号にノイズが発生した場合に、想定糊代データと異なる取得糊代データが取得されたり、取得糊代データが取得されなかったりすることがある。そのような場合に、Ｓ１００３の処理（糊代情報の再通知；想定糊代データの再要求）を行うことにより、想定糊代データと同じ取得糊代データを取得できることがある。
【００７８】
次に、制御部３１４がエラー処理部３０８を制御し、エラー処理部３０８が、カウント値Ｃｎｔを１だけインクリメントする（Ｓ１００４）。
【００７９】
そして、制御部３１４が画像処理部３１１を制御し、画像処理部３１１が、合成データを生成する（Ｓ１００９）。具体的には、画像処理部３１１は、情報画像を表す情報画像データを生成し、Ｓ８０２で取得された入力データに情報画像データを合成する。それにより、表示対象画像データが表す画像に情報画像が重畳された合成画像を表す合成画像データと、取得糊代データと、を含む合成データが生成される。
ここでは、想定糊代データの再要求が行われたことを表す情報画像データが生成される。例えば、「糊代データの取得中です。」等のコメントが記載された情報画像を表す情報画像データが生成される。想定糊代データの再要求が行われた場合に、上記情報画像を自表示領域に表示することにより、想定糊代データの再要求が行われたことをユーザに通知することができる。
なお、ユーザへの通知方法は、上記方法に限らない。例えば、自表示領域とは別に設けられた発光素子からの光を用いてユーザへの通知が行われてもよいし、スピーカー等からの音を用いてユーザへの通知が行われてもよい。
なお、ユーザへの通知は行われなくてもよい。
【００８０】
Ｓ１００９の次に、Ｓ８０６〜Ｓ８０８の処理が行われる。
Ｓ８０６〜Ｓ８０８の処理は、上述したとおりである。
但し、ここでは、Ｓ１００９で生成された合成データに対して、Ｓ１００１で設定された画像処理設定情報に応じた画像処理を施すことにより、処理データが生成される（Ｓ８０６）。また、画像処理Ｇは、情報画像が重畳された領域には施されない。そして、処理データから取得糊代データを除去することにより、黒色の画像を表す画像上に情報画像が重畳された合成画像を表す処理画像データが生成される（Ｓ８０７）。その後、図１３に示すように、黒色の画像を表す画像上に情報画像が重畳された合成画像が自表示領域に表示される（Ｓ８０８）。
【００８１】
そして、Ｓ８０２に処理が戻され、Ｓ８０２とＳ８０３の処理が行われる。
Ｓ８０２とＳ８０３の処理は、上述したとおりである。
但し、ここでも、取得領域のサイズが想定領域のサイズよりも小さく、Ｓ８０５（Ｓ１
００１）に処理が進められたとする。
【００８２】
そして、Ｓ１００１とＳ１００２の処理が行われる。
Ｓ１００１とＳ１００２の処理は、上述したとおりである。
但し、ここでは、カウント値Ｃｎｔが１（＝閾値）であるため、Ｓ１００５に処理が進められる。
【００８３】
Ｓ１００５では、制御部３１４が画像処理設定部３０７を制御し、画像処理設定部３０７が、画像処理設定情報を変更（更新）する。それにより、糊代領域のサイズが変更される。具体的には、複数の画像処理に対応する複数の糊代領域の少なくともいずれかのサイズが変更される。そして、画像処理設定部３０７は、更新後の画像処理設定情報を画像処理部３１１に設定する。
ここでは、取得糊代データのデータサイズが想定糊代データのデータサイズよりも小さいため、糊代領域のサイズが縮小される。それにより、想定糊代データのデータサイズが低減される。具体的には、複数の画像処理に対応する複数の糊代領域の少なくともいずれかのサイズが０に縮小される。本実施例では、画像処理Ａ〜Ｆの処理モードが順番に“代替糊代使用モード”に変更される。処理モードを“代替糊代使用モード”に変更することにより、糊代領域のサイズが０に変更される。図１４に、変更後の画像処理設定情報の一例を示す。
上述したように、カウント値Ｃｎｔが閾値未満である場合には、Ｓ１００３に処理が進められる。即ち、カウント値Ｃｎｔが閾値未満である場合には、Ｓ１００５の処理は省略される。
【００８４】
なお、処理モードの変更順序は、上記順序に限らない。例えば、ユーザが選択した画像処理の処理モードが変更されてもよい。糊代領域のサイズが最も小さい画像処理から順番に処理モードが変更されてもよい。２つ以上の画像処理の処理モードが同時に変更されてもよい。
なお、処理モードを“代替糊代使用モード”に変更する例を説明したが、これに限らない。例えば、処理モードを“糊代不使用モード”に変更することにより、糊代領域のサイズが０に変更されてもよい。糊代領域のサイズを０に変更する処理モードとして、“代替糊代使用モード”と“糊代不使用モード”とは異なる処理モードが設定可能であってもよい。そして、処理モードを“代替糊代使用モード”と“糊代不使用モード”以外の処理モードに変更することにより、糊代領域のサイズが０に変更されてもよい。その場合には、設定可能な複数の処理モードは、“代替糊代使用モード”と“糊代不使用モード”を含んでいなくてもよい。実行フラグを“無効”に変更することにより、糊代領域のサイズが０に変更されてもよい。
なお、糊代領域のサイズを０に変更する複数の処理モードが設定可能である場合には、当該複数の処理モードのいずれかが変更後の処理モードとして設定されればよい。変更後の処理モードの選択方法は特に限定されない。例えば、ユーザによって変更後の処理モードが選択されてもよい。各処理モードに予め優先度が設定され、優先度が最も高い処理モードが、変更後の処理モードとして選択されてもよい。
なお、縮小後の糊代領域のサイズは０より大きくてもよい。また、処理モードを変更せずに糊代領域のサイズが変更されてもよい。
【００８５】
次に、制御部３１４がエラー処理部３０８を制御し、エラー処理部３０８が、現在設定されている画像処理設定情報に基づいて変更糊代情報を生成する（Ｓ１００６；変更糊代情報の更新）。
ここでは、画像処理Ａの糊代領域のサイズが０に縮小されたため、Ｔｏｐ  糊代  Ｓｉｚｅが０、Ｂｏｔｔｏｍ  糊代Ｓｉｚｅが１１１（＝１１５−４）、Ｒｉｇｈｔ  糊代  Ｓｉｚｅが１１１、Ｌｅｆｔ  糊代  Ｓｉｚｅが０である変更糊代情報が生成される。
【００８６】
そして、制御部３１４がエラー処理部３０８を制御し、エラー処理部３０８がカウント値Ｃｎｔを０にリセットする（Ｓ１００７）。
【００８７】
次に、制御部３１４がエラー通知部３１０を制御し、エラー通知部３１０が、Ｓ１００６で生成された変更糊代情報を画像出力装置に通知する（Ｓ１００８）。
本処理により、糊代領域のサイズが変更された場合に、サイズが変更された後の糊代領域に表示すべき画像の特徴を表す想定糊代データが画像出力装置に再要求される。
【００８８】
そして、Ｓ１００９、Ｓ８０６〜Ｓ８０８の処理が行われる。
Ｓ１００９、Ｓ８０６〜Ｓ８０８の処理は、上述したとおりである。
【００８９】
次に、Ｓ８０２に処理が戻され、Ｓ８０２とＳ８０３の処理が行われる。
Ｓ８０２とＳ８０３の処理は、上述したとおりである。
取得領域のサイズが想定領域のサイズと一致するまで、Ｓ８０５のエラーリカバリ処理が繰り返し実行される。
ここでは、取得領域のサイズが想定領域のサイズと一致し、Ｓ８０４に処理が進められたとする。
【００９０】
Ｓ８０４では、制御部３１４が画像処理設定部３０７を制御し、画像処理設定部３０７が、画像処理部３１１に対して画像処理設定情報を設定する。ここでは、Ｓ１００５で設定された画像処理設定情報が表す画像処理Ｇの実行フラグを“無効”に書き替えた画像処理設定情報が設定される。
【００９１】
そして、Ｓ８０６〜Ｓ８０８の処理が行われる。
Ｓ８０６〜Ｓ８０８の処理は、上述したとおりである。
図１５に、エラーリカバリ処理が行われ後に想定糊代データと同じ取得糊代データが取得された場合に得られる表示画像（自表示領域に表示された画像）の一例を示す。
ここでは、代替特徴を用いた画像処理Ａと取得糊代データを用いた画像処理Ｂ〜Ｆとを表示対象画像データに施すことによって得られた処理画像データが表示される。糊代領域に表示すべき画像の特徴は、例えば、自表示領域の端部（他の表示領域が隣接する側の端部）に表示すべき画像データに画像処理を施す際に使用される。図１５の斜線部は、糊代領域に表示すべき画像の特徴を用いた画像処理が施された領域（端部）を示す。
【００９２】
なお、図１５に示すように、情報画像が重畳表示されてもよい。図１５の例では、取得糊代データが使用されなかった画像処理が画像処理Ａであることが示されている。また、画像処理Ａの処理モードが“代替糊代使用モード”に変更されたことが示されている。また、糊代領域の初期サイズ、最終サイズ、取得サイズが示されている。初期サイズは、糊代領域のサイズ（複数の画像処理の糊代領域のサイズの合計値）の初期値である。最終サイズは、最終的に設定された糊代領域のサイズである。取得サイズは、取得糊代データによって特徴が表されている糊代領域のサイズである。ユーザは、情報画像を確認することで、上述した様々な情報を把握することができる。
【００９３】
以上述べたように、本実施例によれば、想定糊代データと異なる取得糊代データが取得された場合（取得糊代データが取得されなかった場合を含む）に、想定糊代データが再要求される。それにより、マルチディスプレイシステムにおいて、画像表示装置が適切な取得糊代データをより確実に取得でき、ひいては適切な画像処理結果をより確実に得ることができる。
また、本実施例によれば、取得糊代データのデータサイズが想定糊代データのデータサイズよりも小さい場合に、糊代領域のサイズが縮小され、想定糊代データのデータサイズ
が低減される。それにより、画像出力装置が出力可能な取得糊代データのデータサイズの最大値を想定糊代データのデータサイズが超えている場合に、画像表示装置が適切な取得糊代データをより確実に取得することができる。
【００９４】
なお、本実施例では、取得糊代データのデータサイズが想定糊代データのデータサイズと異なる場合に想定糊代データを再要求する例を説明したが、これに限らない。例えば、取得糊代データのデータサイズが想定糊代データのデータサイズより大きい場合には、想定糊代データを再要求する処理は行われなくてもよい。即ち、取得糊代データのデータサイズが想定糊代データのデータサイズより大きい場合には、Ｓ８０３からＳ８０４へ処理が進められてもよい。
【００９５】
画像出力装置が有する画像出力用グラフィックカードの画像出力サイズ（出力するデータのサイズは、所定画素数分の間隔（例えば、５画素分の間隔）でしか変更できないことがある。それにより、想定糊代データのデータサイズと同じデータサイズの取得糊代データを画像出力装置が出力できず、画像出力装置から想定糊代データのデータサイズよりも大きいデータサイズの取得糊代データが出力されることがある。そして、取得糊代データのデータサイズが想定糊代データのデータサイズよりも大きい場合には、取得糊代データに想定糊代データとダミーデータが含まれている可能性が高い。取得糊代データに想定糊代データが含まれていれば、取得糊代データに含まれている想定糊代データを使用することにより、適切な画像処理結果を得ることができる。そのため、取得糊代データに想定糊代データが含まれている場合には、想定糊代データを再要求する処理は行われなくてもよい。
【００９６】
なお、本実施例では、糊代領域のサイズを縮小する例のみを説明したが、糊代領域のサイズを変更する処理はこれに限らない。
糊代領域のサイズを変更する処理として、糊代領域のサイズを縮小する処理が常に行われると、取得糊代データのデータサイズが想定糊代データのデータサイズよりも大きい場合に、最終的に全ての糊代領域のサイズが０に縮小されてしまう。
取得糊代データのデータサイズが想定糊代データのデータサイズよりも大きい場合には、より大きな糊代領域を設定しても適切な取得糊代データを取得することができる。
そのため、取得糊代データのデータサイズが想定糊代データのデータサイズよりも大きい場合には、糊代領域のサイズを拡大することが好ましい。例えば、複数の画像処理にそれぞれ対応する複数の糊代領域の少なくともいずれかのサイズを拡大することが好ましい。それにより、より大きな糊代領域に表示すべき画像の特徴を用いた画像処理が実行できるため、画像処理の精度を向上することができる。
また、取得糊代データのデータサイズが想定糊代データのデータサイズよりも大きく、且つ、複数の糊代領域の少なくともいずれかのサイズが０である場合には、サイズが０である１つ以上の糊代領域のサイズを０より大きい値に拡大することが好ましい。具体的には、取得糊代データを使用しない処理モードが設定されている１つ以上の画像処理の処理モードを“糊代使用モード”に変更することが好ましい。取得糊代データを使用する画像処理の精度を高めるよりも、取得糊代データを使用する画像処理の数を増やした方が、画質向上の効果としてより高い効果が期待できる。
【００９７】
＜実施例２＞
以下、図面を参照しながら、本発明の実施例２に係る画像表示装置及びその制御方法について説明する。
実施例１では、Ｄｉｓｐｌａｙ  ＩＤを用いて初期糊代情報を通知する例を説明した。本実施例では、Ｄｉｓｐｌａｙ  ＩＤを用いずに初期糊代情報を通知する例を説明する。具体的には、ＡＵＸを用いて初期糊代情報とタイル情報を通知する例を説明する。
また、実施例１では、糊代領域のサイズの初期値（画像処理設定情報の初期情報）が予
め定められている場合の例を説明した。本実施例では、画像表示装置の状態に応じて糊代領域のサイズの初期値が決定される例を説明する。具体的には、画像表示装置の動作モードとして複数の動作モードが設定可能であり、設定されている動作モードに応じて糊代領域のサイズの初期値が決定される例を説明する。
また、実施例１では、取得糊代データのデータサイズと想定糊代データのデータサイズとの比較結果に応じて糊代領域のサイズを変更する例を説明した。本実施例では、画像出力装置が出力可能な取得糊代データをさらに考慮して糊代領域のサイズを変更する例を説明する。
なお、以下では、実施例１と異なる点（機能や構成）について詳しく説明し、実施例１と同じ点については説明を省略する。
【００９８】
本実施例に係る画像表示システム（マルチディスプレイシステム）の構成は、実施例１と同じである。
以下に、本実施例に係る画像表示システムが有する画像表示装置Ａの構成と処理について説明する。画像表示装置Ｂ〜Ｄの構成や処理は、画像表示装置Ａと同様であるため、その説明は省略する。
図１６は、本実施例に係る画像表示装置１６０１（画像表示装置Ａ）の機能構成の一例を示すブロック図である。
図１６に示すように、画像表示装置１６０１は、データ入力部３０２、タイル情報記憶部３０４、糊代比較部３０６、画像処理部３１１、糊代除去部３１２、表示部３１３、等を有する。また、画像表示装置１６０１は、フォーマット通知部１６０２、出力性能情報取得部１６０３、糊代情報記憶部１６０４、画像処理設定部１６０５、動作モード設定部１６０６、制御部１６０７、等を有する。
図１６において、実施例１（図３）と同じ機能部には実施例１と同じ符号を付し、その説明は省略する。
【００９９】
フォーマット通知部１６０２は、初期糊代情報とタイル情報を画像出力装置へ通知する。また、フォーマット通知部１６０２は、変更糊代情報を画像出力装置へ通知する。本実施例では、タイル情報、初期糊代情報、及び、変更糊代情報は、いずれも、ＡＵＸを用いて画像出力装置に通知される。
【０１００】
出力性能情報取得部１６０３は、画像出力装置が出力可能な取得糊代データに関する情報である出力性能情報を、画像出力装置から取得する（第３取得処理）。本実施例では、画像出力装置が出力可能な取得糊代データのデータサイズの最大値の情報が、出力性能情報として取得される。
なお、出力性能情報は、画像出力装置が出力可能な取得糊代データのデータサイズの最大値の情報に限らない。例えば、出力性能情報は、画像出力装置が出力可能な入力データのデータサイズの最大値の情報であってもよい。
【０１０１】
糊代情報記憶部１６０４は、後述する制御部１６０７で生成された糊代情報（初期糊代情報及び変更糊代情報）を記憶する。
【０１０２】
画像処理設定部１６０５は、後述する動作モード設定部１６０６で設定（選択）された動作モードに応じて画像処理設定情報の初期情報を生成する。
また、画像処理設定部１６０５は、取得糊代データが想定糊代データでないと判断された場合に、出力性能情報取得部１６０３で取得された出力性能情報に基づいて画像処理設定情報を変更する。
そして、画像処理設定部１６０５は、生成または変更された画像処理設定情報を画像処理部３１１に設定する。
【０１０３】
動作モード設定部１６０６は、画像表示装置１６０１の複数の動作モードのうちの１つを選択し、選択した動作モードを設定する。
複数の動作モードは、例えば、表示された画像の画質が互いに異なる複数の動作モードである。本実施例では、複数の動作モードとして、高画質モード、中画質モード、及び、低画質モードの３つの画質モードが使用される。
【０１０４】
制御部１６０７は、画像表示装置１６０１の全体的な制御を行う。即ち、制御部１６０７は、上述した各機能部を制御する。
また、制御部１６０７は、画像処理設定部１６０５で設定された画像処理設定情報に基づいて糊代情報（初期糊代情報及び変更糊代情報）を生成する。
【０１０５】
図１７は、画像表示装置１６０１の処理の流れの一例を示すフローチャートである。
図１７を用いて、画像表示装置１６０１の処理の流れについて説明する。
なお、以下では、Ｄｉｓｐｌａｙ  Ｐｏｒｔ規格のケーブルを用いて画像表示装置１６０１が画像出力装置に既に接続されているものとする。
【０１０６】
まず、動作モード設定部１６０６が、画像表示装置１６０１の複数の動作モードのうちの１つを選択し、選択した動作モードを設定する（Ｓ１７０１）。例えば、動作モード設定部１６０６は、ユーザ操作、画像表示装置１６０１の設置環境、等に応じて動作モードを選択する。
【０１０７】
そして、制御部１６０７が画像処理設定部１６０５を制御し、画像処理設定部１６０５が、Ｓ１７０１で設定された動作モードに応じて画像処理設定情報の初期情報を生成する（Ｓ１７０２）。
【０１０８】
動作モードと画像処理設定情報の初期情報との対応関係の一例を図１９に示す。
図１９の例では、動作モードに拘らず、画像処理設定情報の初期情報として、画像処理Ａ〜Ｆの実行フラグが“有効”であり、且つ、画像処理Ｇの実行フラグが“無効”である情報が生成される。
【０１０９】
そして、図１９の例では、高画質モードが設定された場合に、画像処理設定情報の初期情報として、画像処理Ａの糊代領域が４画素分の領域であり、画像処理Ｂの糊代領域が４画素分の領域であり、画像処理Ｃの糊代領域が３画素分の領域であり、画像処理Ｄの糊代領域が９５画素分の領域であり、画像処理Ｅの糊代領域が５画素分の領域であり、画像処理Ｆの糊代領域が４画素分の領域である情報が生成される。
【０１１０】
中画質モードが設定された場合には、画像処理設定情報の初期情報として、画像処理Ａの糊代領域が４画素分の領域であり、画像処理Ｂの糊代領域が２画素分の領域であり、画像処理Ｃの糊代領域が３画素分の領域であり、画像処理Ｄの糊代領域が９５画素分の領域であり、画像処理Ｅの糊代領域が５画素分の領域であり、画像処理Ｆの糊代領域が１画素分の領域である情報が生成される。
【０１１１】
低画質モードが設定された場合には、画像処理設定情報の初期情報として、画像処理Ａの糊代領域が４画素分の領域であり、画像処理Ｂの糊代領域が４画素分の領域であり、画像処理Ｃの糊代領域が３画素分の領域であり、画像処理Ｄの糊代領域が０画素分の領域であり、画像処理Ｅの糊代領域が５画素分の領域であり、画像処理Ｆの糊代領域が４画素分の領域である情報が生成される。
【０１１２】
次に、制御部１６０７が、Ｓ１７０２で生成された画像処理設定情報（画像処理設定情報の初期情報）に基づいて、初期糊代情報を生成する（Ｓ１７０３）。
【０１１３】
そして、フォーマット通知部１６０２が、タイル情報記憶部３０４が記憶しているタイル情報とＳ１７０３で生成された初期糊代情報とを、ＡＵＸを用いて画像出力装置に通知する（Ｓ１７０４）。本処理により、設定されている動作モードに応じた想定糊代データが画像出力装置に要求される。
【０１１４】
次に、データ入力部３０２が、画像出力装置から出力された入力データが画像表示装置１６０１（データ入力部３０２）に入力されたか否かを判断する（Ｓ１７０５）。入力データがデータ入力部３０２に入力された場合（Ｓ１７０５：Ｙｅｓ）、Ｓ１７０６に処理が進められる。入力データがデータ入力部３０２に入力されていない場合（Ｓ１７０５：Ｎｏ）、Ｓ１７０５に処理が戻される。そして、データ入力部３０２は、入力データがデータ入力部３０２に入力されるまで、Ｓ１７０５の処理を繰り返し実行する。
【０１１５】
Ｓ１７０６では、制御部１６０７が糊代比較部３０６を制御し、糊代比較部３０６が、Ｓ１７０５で取得された入力データに含まれている取得糊代データが想定糊代データであるか否かを判断する。取得糊代データが想定糊代データであるか否かの判断の方法は、実施例１と同じである。取得糊代データが想定糊代データであると判断された場合（Ｓ１７０６：Ｙｅｓ）、Ｓ１７０７に処理が進められる。取得糊代データが想定糊代データではないと判断された場合（Ｓ１７０６：Ｎｏ）、Ｓ１７０８に処理が進められる。
なお、実施例１で述べたように、Ｓ１７０６では、取得糊代データのデータサイズが想定糊代データのデータサイズよりも小さいか否かが判断されてもよい。
【０１１６】
Ｓ１７０８では、エラーリカバリ処理が行われる。そして、Ｓ１７０９に処理が進められる。本実施例に係るエラーリカバリ処理の詳細は後述するが、本実施例に係るエラーリカバリ処理では画像処理設定情報が変更される。即ち、本実施例に係るエラーリカバリ処理では糊代領域のサイズが変更される。
Ｓ１７０７では、制御部１６０７が画像処理設定部１６０５を制御し、画像処理設定部１６０５が、画像処理部３１１に対して画像処理設定情報を設定する。Ｓ１７０８のエラーリカバリ処理が行われなかった場合には、Ｓ１７０２で生成された画像処理設定情報（画像処理設定情報の初期情報）が設定される。Ｓ１７０８のエラーリカバリ処理が行われなかった場合には、エラーリカバリ処理によって変更された画像処理設定情報が設定される。そして、Ｓ１７０９に処理が進められる。
【０１１７】
Ｓ１７０９では、制御部１６０７が画像処理部３１１を制御し、画像処理部３１１が、Ｓ１７０５で取得された入力データに対して、Ｓ１７０７で設定された画像処理設定情報に応じた画像処理を施す。それにより、処理データが生成される。
なお、本実施例では、エラーリカバリ処理が行われている期間では、画像処理は行われず、入力データが処理データとして使用される。
【０１１８】
次に、制御部１６０７が糊代除去部３１２を制御し、糊代除去部３１２が、Ｓ１７０９で生成された処理データから取得糊代データを除去する（Ｓ１７１０）。それにより、処理画像データが生成される。
【０１１９】
そして、制御部１６０７が表示部３１３を制御し、表示部３１３が、Ｓ１７１０で生成された処理画像データを自表示領域に表示する（Ｓ１７１１）。そして、Ｓ１７０５に処理が戻される。
なお、Ｓ１７０２〜Ｓ１７１１の処理の実行中に、動作モードを変更するユーザ操作が行われたり、画像表示装置１６０１の設置環境が変化したりした場合には、Ｓ１７０１に処理が戻されてもよい。
【０１２０】
図１８は、本実施例に係るエラーリカバリ処理（Ｓ１７０８の処理）の流れの一例を示すフローチャートである。
図１８を用いて、本実施例に係るエラーリカバリ処理の流れについて説明する。
【０１２１】
まず、制御部１６０７が出力性能情報取得部１６０３を制御し、出力性能情報取得部１６０３が、出力性能情報を画像出力装置から取得する（Ｓ１８０１）。
【０１２２】
そして、制御部１６０７が画像処理設定部１６０５を制御し、画像処理設定部１６０５が、Ｓ１８０１で取得された出力性能情報に基づいて、画像処理設定情報を変更する（Ｓ１８０２）。
本処理により、出力性能情報に基づいて、糊代領域のサイズが変更される。
例えば、Ｓ１７０５で取得された入力データに含まれている取得糊代データのデータサイズが想定糊代データのデータサイズよりも小さい場合に、出力性能情報に基づいて、糊代領域のサイズが縮小される。また、Ｓ１７０５で取得された入力データに含まれている取得糊代データのデータサイズが想定糊代データのデータサイズよりも大きい場合には、出力性能情報に基づいて、糊代領域のサイズが拡大される。
【０１２３】
なお、画像出力装置の性能が最大限に使用されるように、糊代領域の縮小や拡大が行われることが好ましい。例えば、想定糊代データのデータサイズが、画像出力装置が出力可能な取得糊代データのデータサイズの最大値と同じ値、又は、当該最大値よりもわずかに小さい値となるように、糊代領域の縮小や拡大が行われることが好ましい。それにより、より大きいサイズの糊代領域に表示すべき画像の特徴を表す取得糊代データを取得することができる。その結果、より大きいサイズの糊代領域に表示すべき画像の特徴を用いた画像処理を実行することができ、画像処理の精度を向上することができる。
【０１２４】
次に、制御部１６０７が、Ｓ１８０２で得られた画像処理設定情報（変更後の画像処理設定情報）に基づいて、変更糊代情報を生成する（Ｓ１８０３）。
【０１２５】
そして、制御部１６０７がフォーマット通知部１６０２を制御し、フォーマット通知部１６０２が、Ｓ１８０３で生成された変更糊代情報を、ＡＵＸを用いて画像出力装置に通知する（Ｓ１８０４）。
【０１２６】
そして、制御部１６０７が画像処理部３１１を制御し、画像処理部３１１が、合成データを生成する（Ｓ１８０５）。具体的には、画像処理部３１１は、情報画像を表す情報画像データを生成し、Ｓ１７０５で取得された入力データに情報画像データを合成する。それにより、表示対象画像データが表す画像に情報画像が重畳された合成画像を表す合成画像データと、取得糊代データと、を含む合成データが生成される。
【０１２７】
以上述べたように、本実施例によれば、Ｄｉｓｐｌａｙ  ＩＤを用いずに、タイル情報、初期糊代情報、及び、変更糊代情報が画像出力装置に通知される。それにより、Ｄｉｓｐｌａｙ  ＩＤを用いずに実施例１と同様の処理を実行することができ、Ｄｉｓｐｌａｙ
ＩＤを用いずに実施例１と同様の効果を得ることができる。
また、本実施例によれば、画像表示装置の動作モードに応じて糊代領域のサイズの初期値が設定される。それにより、動作モードに応じた画像処理結果を得ることが可能となる。
また、本実施例によれば、出力性能情報に基づいて糊代領域のサイズが変更される。それにより、想定糊代データのデータサイズが、画像出力装置が出力可能な取得糊代データのデータサイズと一致するように、糊代領域のサイズを確実且つ高速に設定することができる。
【０１２８】
なお、本実施例の構成の少なくとも一部を実施例１の構成に組み合わせてもよい。例えば、以下の３つの構成のうちの少なくともいずれかを実施例１の構成に組み合わせてもよい。
（１）タイル情報、初期糊代情報、及び、変更糊代情報の通知にＤｉｓｐｌａｙ  ＩＤを使用しない構成
（２）画像表示装置の動作モードに応じて糊代領域のサイズの初期値を決定する構成
（３）出力性能情報に基づいて糊代領域のサイズを変更する構成
【０１２９】
＜その他の実施例＞
記憶装置に記録されたプログラムを読み込み実行することで前述した実施例の機能を実現するシステムや装置のコンピュータ（又はＣＰＵ、ＭＰＵ等のデバイス）によっても、本発明を実施することができる。また、例えば、記憶装置に記録されたプログラムを読み込み実行することで前述した実施例の機能を実現するシステムや装置のコンピュータによって実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。したがって、上記コンピュータ（ＣＰＵ、ＭＰＵ等のデバイスを含む）、上記方法、上記プログラム（プログラムコード、プログラムプロダクトを含む）、上記プログラムを非一時的に保持するコンピュータ読取可能な記録媒体は、いずれも本発明の範疇に含まれる。
【符号の説明】
【０１３０】
３０１，１６０１：画像表示装置  ３０２：データ入力部
３０５，１６０２：フォーマット通知部  ３０６：糊代比較部
３１０：エラー通知部  ３１１：画像処理部
【図１】
0006381310.tif 000002
【図２】
0006381310.tif 000003
【図３】
0006381310.tif 000004
【図４】
0006381310.tif 000005
【図５】
0006381310.tif 000006
【図６】
0006381310.tif 000007
【図７】
0006381310.tif 000008
【図８】
0006381310.tif 000009
【図９】
0006381310.tif 000010
【図１０】
0006381310.tif 000011
【図１１】
0006381310.tif 000012
【図１２】
0006381310.tif 000013
【図１３】
0006381310.tif 000014
【図１４】
0006381310.tif 000015
【図１５】
0006381310.tif 000016
【図１６】
0006381310.tif 000017
【図１７】
0006381310.tif 000018
【図１８】
0006381310.tif 000019
【図１９】
0006381310.tif 000020
【図２０】
0006381310.tif 000021